(57)【要約】【課題】この考案は、プライスカードホルダーと、商品押出し片とを保持部材又は案内杆に固定し、同時又は個別に動かすことを目的としたものである。【解決手段】この考案は、一側にプライスカードホルダーを具え、他側に商品押出し片を具えた保持部材を商品の吊下レールに沿って摺動自在に取付けたことを特徴としたプライスカード保持具により目的を達成した。【選択図】図１
0003120827.tif 000002
【実用新案登録請求の範囲】
【請求項１】
一側にプライスカードホルダーを具え、他側に商品押出し片を具えた保持部材を商品の吊下レールに沿って摺動自在に取付けたことを特徴としたプライスカード保持具。
【請求項２】
一側にプライスカードホルダーを固定し、他側に商品押出し片を固定した案内杆を、商品の吊下レールと平行な補助レールへ摺動自在に取付けたことを特徴としたプライスカード保持具。
【請求項３】
一側にプライスカードホルダーを固定し、他側に商品押出し片を固定した案内杆を、商品の吊下レールの上方へ、該吊下レールと平行に設けた片持ち状の補助レールへ摺動自在に嵌装したことを特徴としたプライスカード保持具。
【請求項４】
保持部材又は案内杆は、管状、半管状又は杆体に案内板を固定したことを特徴とする請求項２又は３記載のプライスカード保持具。
【請求項５】
商品押出し片は、商品の吊下レールに直角に架設してあって、商品に当接できる形としたことを特徴とする請求項１、２又は３記載のプライスカード保持具。
【考案の詳細な説明】
【技術分野】
【０００１】
この考案は、商品の吊下具に取付けるプライスカードホルダーと、商品を寄せる商品押出し片とを一体化し、移動可能とすることを目的としたプライスカード保持具に関する。
【背景技術】
【０００２】
従来プライスカードは、商品ハンガーの先端側に固定され（又は商品ハンガーと関係なく取付けられ）、商品押圧片は、商品ハンガーへ摺動自在に嵌装されていた。
【０００３】
前記のように、プライスカードホルダーと、商品押出し片とは独立しており、関係づけられていなかった。
【特許文献１】実公平７−１２４
【特許文献２】特許第３５６９８５５号
【考案の開示】
【考案が解決しようとする課題】
【０００４】
従来支持板又は支持杆から、レール又はハンガーを水平方向に突設し、このレール又はハンガーに商品の包装に設けた円孔又は切欠孔を掛けることにより、商品を吊下する商品陳列構造は幾多知られている。またこのような場合の多くは、前記レール又はハンガーの先端部へプライスカードを固定しているが、前記レール又はハンガーの中途から、商品を取外すことができない場合には、前記レール又はハンガーと、プライスカードホルダーとは別にして、商品の取外しに際し、プライスカードが邪魔にならないようにしている。
【０００５】
またレール又はハンガーの吊下商品が少なくなった場合には、吊下商品を前方へ移動して、商品の取外しを容易にする為に、レール又はハンガーへ押出し片を摺動自在に嵌装し、必要に応じ、押出し片で商品を押出すようにしている。
【０００６】
前記従来の装置によれば、プライスカードホルダーは商品の多寡に拘らず、固定位置が一定であって、その結びつきが弱く受取られる問題点があった。
【０００７】
また従来の押出し片は、その具体的構造に工夫されたものもあるが、プライスカードホルダーとは無関係になっている問題点があった。
【課題を解決するための手段】
【０００８】
この考案は、商品を吊下するレール又はハンガーの補助杆又は商品を吊下しない位置に、商品押出し片付のプライスカードホルダーを摺動自在に嵌装することにより、前記従来の問題点を解決したのである。
【０００９】
即ちこの考案は、一側にプライスカードホルダーを具え、他側に商品押出し片を具えた保持部材を商品の吊下レールに沿って摺動自在に取付けたことを特徴としたプライスカード保持具である。
【００１０】
また他の考案は、一側にプライスカードホルダーを固定し、他側に商品押出し片を固定した案内杆を、商品の吊下レールと平行な補助レールへ摺動自在に取付けたことを特徴としたプライスカード保持具であり、一側にプライスカードホルダーを固定し、他側に商品押出し片を固定した案内杆を、商品の吊下レールの上方へ、該吊下レールと平行に設けた片持ち状の補助レールへ摺動自在に嵌装したことを特徴としたプライスカード保持具である。
【００１１】
次に他の考案の、保持部材又は案内杆は、管状、半管状又は杆体に案内板を固定したものであり、商品押出し片は、商品の吊下レールに直角に架設してあって、商品に当接できる形としたものである。
【００１２】
前記考案は、何れも保持部材（例えば案内杆）にプライスカードホルダーと、商品押出し片とを具えており、保持部材を摺動させることにより、プライスカードと商品の押出し片が共に摺動する構成となっている。
【００１３】
前記保持部材については、各種構造があるが、何れも商品の補助レール、レール又はハンガーに沿って摺動する構造になっている。
【００１４】
前記保持部材の全部又は一部と、レール等を摩擦当接させることにより、保持部材の摺動を制御することができる。
【００１５】
前記における押出し片は、一側を商品の一部に当接して押出し力が商品に及ぶようにすることを要点とし、その形状に制約はないが、プライスカードホルダーと同時に移動する場合が多い。
【考案の効果】
【００１６】
この考案によれば、保持部材の一側にプライスカードホルダーを固定し、他側に商品の押出し片を固定したので、レールに吊下した商品の量が減少するにつれて、保持部材を、レールの先端側へ押出し、商品を外し易くすると共に、プライスカードも押出すことができる効果がある。
【００１７】
前記における保持部材は、レール（又は保持レール）に沿って摺動するので、常時正しい位置でほぼ水平移動し、商品列（正列）を乱すおそれがない効果がある。
【００１８】
更にプライスカードホルダーが突き出される為に、少なくなった商品を容易に発見することができると共に、商品の吊下位置により、売上量（残量も）を知り、補充の見当をつけることができる効果がある。
【考案を実施するための最良の形態】
【００１９】
この考案は、商品を吊下する為のレールの上方へ補助レールを平行に設け、この補助レールへ摺動自在に嵌装できる合成樹脂パイプ（保持部材）の一端にプライスカードホルダーを固定し、他側下部へ商品の押出し片の上部を固定する。
【００２０】
前記押出し片は板体であって、下部中央に商品のレールに嵌装できる溝を有すると共に、前記板体の後方（プライスカードホルダーとの反対側）に若干幅の案内部を設けてある。前記レールの一側下部には、レールを棚又は支持杆へ保持する為の嵌着具が固着してある。
【実施例１】
【００２１】
この考案の実施例を図１、２に基づいて説明すると、商品を吊下するレール１の上方へ平行に設けた補助レール１ａへ嵌装できる合成樹脂パイプ２（保持部材）の先端側へ、プライスカードホルダー３を斜に固定する。
【００２２】
前記合成樹脂パイプ２（案内杆）の基端側下部へ、商品４の押出し片５の上部を固定する。前記押出し片５は、レール１に沿って摺動する溝５ｂ付の板片５ａに、合成樹脂パイプ２に固定する固定片５ｃを一体的に形成してあり、固定片５ｃの下部は、レール１の上面に当接して案内を兼ねている。図中９はレール１を他物へ固定する為の嵌着具である。前記実施例は、合成樹脂パイプ２を補助レール１ａに矢示７のように摺動自在に嵌装してある（図１）。
【００２３】
そこで押出し片５を矢示６の方向へ押出せば、商品４を同方向へ移動し、矢示８の方向へ押せば、旧位置へ戻すことができる。そこでこの商品４を取る場合には、図３（ａ）のように、取外すべき商品４ａを矢示１０の方向へ回して、レール１の先端屈曲部１ｂから外せばよい。
【実施例２】
【００２４】
この考案の他の実施例を図３（ｂ）に基づいて説明すると、合成樹脂パイプ２の側壁に、凹入部２ａ、２ａを設けて、これを補助レール１ａに嵌装すると、補助レール１ａの外壁に前記凹入部２ａの内壁が当接する。そこで前記補助レール１ａと合成樹脂パイプ２とは弾性的に接触し、嵌装位置を堅固に保持することができる。従って、商品４の位置は、押出し片５により調整位置に保持される（図２（ａ）、（ｂ））。
【００２５】
次に合成樹脂パイプ２の中間部に蛇腹２ｂを介装すれば、押出し片５を移動した場合であっても、プライスカードホルダー３を現位置に保つことができる。この場合には、合成樹脂パイプ２の先端側２ｃと、補助レール１ａとの嵌合状態を若干堅くして、押出し片５の矢示１５方向への移動により、蛇腹２ｂのみが伸縮することが好ましい（図３（ｄ））。
【００２６】
この考案の他の実施例を、図３（ｅ）について説明すると、一側にプライスカード３を固定し、他側に押出し片５を固定した保持杆１６へ、案内片１７、１７を所定間隔で固定し、前記案内片１７、１７の円孔１７ａ、１７ａへ、補助レール１ａを挿通する。そこで保持杆１６は、押出し片５を矢示１８の方向へ移動させれば、商品も同方向へ摺動し、プライスカードホルダー３も同方向へ移動する。
【００２７】
また図４（ａ）の実施例は、２本のレール１２、１２へ、押出し片１３の溝１１３ａ、１３ａを摺動自在に嵌装し、前記押出し片１３の上部へ前記レール１２と平行に支杆１４の基端を固定し、前記支杆１４の先端にプライスカードホルダー３を固定したもので、図中１１はプライスカードである。
【００２８】
前記実施例によれば、押出し片１３は、レール１２、１２へ摺動自在に嵌装してあるので、前記押出し片１３を矢示１５の方向へ摺動させれば、プライスカードホルダー３も同方向へ移動する。
【００２９】
前記図４（ａ）の実施例はレール１２、１２と二本架設したので、商品４の吊片４ａにレール１２、１２用の孔４ｂ、４ｃを設け、孔４ｃに欠部４ｄを設けることにより、商品の取外しを容易にすることができる。
【図面の簡単な説明】
【００３０】
【図１】（ａ）この考案の実施例の合成樹脂パイプを外した状態の斜視図、（ｂ）同じく合成樹脂パイプを嵌装した状態の斜視図、（ｃ）同じく押出し片を押出した状態の斜視図。
【図２】（ａ）同じく商品を吊り下げた状態の斜視図、（ｂ）同じく押出し片を押出した状態の斜視図。
【図３】（ａ）同じく商品を外す状態を示す一部斜視図、（ｂ）同じく他の実施例の合成樹脂パイプの斜視図、（ｃ）同じく一部断面拡大図、（ｄ）同じく合成樹脂パイプの他の実施例の斜視図、（ｅ）プライスカード保持具の他の例を示す斜視図。
【図４】（ａ）同じく他の実施例の斜視図、（ｂ）従来知られていた商品ホルダーの斜視図。
【符号の説明】
【００３１】
１  レール
２  合成樹脂パイプ
３  プライスカードホルダー
４  商品
５  押出し片
【図１】
0003120827.tif 000003
【図２】
0003120827.tif 000004
【図３】
0003120827.tif 000005
【図４】
0003120827.tif 000006